(57)【要約】      （修正有）【課題】使用過程で物理的形態が変化する電子機器のための保護用ケース構造体を提供する。【解決手段】本発明の電子機器保護用ケース構造体は、本体部１１と、本体部１１の上部一側に回動自在に結合されるカバー部１２を備える電子機器の、本体部１１に着脱自在に結合される下部ケース１００及びカバー部１２に着脱自在に結合される上部ケース２００を備える。【効果】使用過程で物理的形態の変化を受ける電子機器がその使用過程で容易には離脱されず、堅固に収納及び保管できる。【選択図】図３
2019134146.tif 000002
【特許請求の範囲】
【請求項１】
本体部（１１）と、前記本体部（１１）の上部一側に回動自在に結合されるカバー部（１２）を備える電子機器の前記本体部（１１）に着脱自在に結合される下部ケース（１００）と、
前記カバー部（１２）に着脱自在に結合される上部ケース（２００）を含む電子機器保護用ケース構造体。
【請求項２】
前記下部ケース（１００）は、対向して設置される一対の下部側面パネル（１１０）、及び前記一対の下部側面パネル（１１０）を相互連結させる連結台（１３０）を含む請求項１に記載の電子機器保護用ケース構造体。
【発明の詳細な説明】
【技術分野】
【０００１】
本発明は電子機器保護用ケース構造体に関するもので、より詳細には、使用過程で物理的形態が変化する電子機器を収納することができるだけでなく、使用過程で物理的形態の変化を受ける電子機器がその使用過程で容易には離脱されず、堅固に収納及び保管できるようにする電子機器保護用ケースに関するものである。
【背景技術】
【０００２】
スマートフォンなどの電子機器が広く普及することによって、電子機器の使用過程で外部からの衝撃による損傷を防止するために、電子機器保護用ケースを広く使用している。
【０００３】
このような電子機器保護用ケースは、通常、携帯用電子機器を保護するために使用している。ほとんどの携帯電子機器は、スマートフォンのような単純な形態になっており、そのため、従来技術による電子機器保護用ケースもやはり、単純な構造で製作されている。
【０００４】
しかし、最近は様々な物理的構造を有する電子タバコが発売されており、それによって、電子タバコのケースカバーを開閉する場合のように、使用過程でその物理的形態が変化する電子機器が多く使用されている。従って、そのように物理的形態の変化を受ける電子機器のための保護用ケースが必要な実情である。
【発明の概要】
【発明が解決しようとする課題】
【０００５】
従って、本発明の目的は、電子機器保護用ケース構造体を提供することにあり、より詳細には、使用過程で物理的形態が変化する電子機器を収納することができるだけでなく、使用過程で物理的形態の変化を受ける電子機器がその使用過程で容易には離脱されず、堅固に収納及び保管できるようにする電子機器保護用ケースを提供することにある。
【課題を解決するための手段】
【０００６】
前述した目的を達成するための本発明に係る電子機器保護用ケース構造体は、本体部と、前記本体部の上部一側に回動自在に結合されるカバー部を備える電子機器の前記本体部に着脱自在に結合される下部ケース；及び前記カバー部に着脱自在に結合される上部ケースを含む。
【０００７】
好ましくは、前記下部ケースは、対向して設置される一対の下部側面パネル、及び前記一対の下部側面パネルを相互連結させる連結台を含むことを特徴とする。
【０００８】
また、前記下部側面パネルの上部には、前記電子機器の前記本体部が前記下部ケースから離脱することを防止する係止部が形成されていることを特徴とする。
【０００９】
また、前記上部ケースは、対向して設置される一対の上部側面パネル、及び前記一対の上部側面パネルを相互結合させる結合台を含むことを特徴とする。
【００１０】
また、前記上部側面パネルの下面には、前記係止部が収容される収容溝が形成されていることを特徴とする。
【００１１】
更に、前記上部側面パネルの下部には、前記電子機器の前記カバー部が前記上部ケースから離脱することを防止する係止部が形成されていることを特徴とする。
【００１２】
更に、前記下部側面パネルの上部面には、前記係止部が収容される収容溝が形成されていることを特徴とする。
【発明の効果】
【００１３】
本発明によれば、使用過程で物理的形態が変化する電子機器のための保護用ケースが提供される。
【００１４】
なお、本発明によれば、使用過程で物理的形態の変化を受ける電子機器がその使用過程で容易には離脱されず、堅固に収納及び保管できるようにする電子機器保護用ケースが提供される。
【図面の簡単な説明】
【００１５】
【図１】本発明の一実施形態に係る電子機器保護用ケース構造体が使用される電子機器の斜視図である。
【図２】本発明の一実施形態に係る電子機器保護用ケース構造体を構成する下部ケースの構造を示す斜視図である。
【図３】本発明の一実施形態に係る電子機器保護用ケース構造体を構成する上部ケースの構造を示す斜視図である。
【図４】図２に示した下部ケースの分解斜視図である。
【図５】図４におけるＡ領域の拡大図である。
【図６】図３に示した上部ケースの分解斜視図である。
【図７】図６におけるＢ領域の拡大図である。
【発明を実施するための形態】
【００１６】
以下、図面を参照して本発明をより詳細に説明する。図面において、同一の構成要素は可能な限り全体を通して同一の符号で示していることを留意しなければならない。また、本発明の要旨を不要に曖昧にすると判断される場合、公知の機能や構成についての詳細な説明は省略する。
【００１７】
図１は本発明の一実施形態に係る電子機器保護用ケース構造体が使用される電子機器の斜視図である。図１を参照すると、本発明の一実施形態に係る電子機器保護ケース構造体の内部に挿入される電子機器１０は、内部に円筒状の電子タバコが収容されるもので、電子タバコの保管及び充電のための装置になり得る。
【００１８】
一方、図１に示すように、本発明に使用される電子機器１０は、本体部１１、及びカバー部１２を含む。
【００１９】
本体部１１は電子タバコの保管及び充電機能を提供するものである。カバー部１２は本体部１１の上部一側に回動自在に結合されることによって、ユーザーが必要に応じて本体部１１の上部を開放するか、または閉鎖することができるようにする。
【００２０】
図２は本発明の一実施形態に係る電子機器保護用ケース構造体を構成する下部ケース１００の構造を示す斜視図である。
【００２１】
図２に示すように、本発明の一実施形態に係る電子機器保護用ケース構造体を構成する下部ケース１００は上部面が開放された筒状の構造体であって、ユーザーが電子機器１０の本体部１１を下部ケース１００の開放された上部を通じて下部ケース１００の内部に挿入することによって、電子機器１０の本体部１１は下部ケース１００に着脱自在に結合される。
【００２２】
図３は本発明の一実施形態に係る電子機器保護用ケース構造体を構成する上部ケース２００の構造を示す斜視図である。
【００２３】
図３に示すように、本発明の一実施形態に係る電子機器保護用ケース構造体を構成する上部ケース２００は、その下部面と一側面が開放されており、ユーザーが電子機器１０のカバー部１２を上部ケース２００の開放された下部を通じて上部ケース２００の内部に挿入することによって、電子機器１０のカバー部１２は上部ケース２００に着脱自在に結合される。
【００２４】
図４は図２に示した下部ケースの分解斜視図である。図４を参照すると、本発明の一実施形態に係る電子機器保護用ケース構造体を構成する下部ケース１００は、対向して結合設置される一対の下部側面パネル１１０、及び一対の下部側面パネル１１０を相互連結させる連結台１３０を含む。
【００２５】
一対の下部側面パネル１１０は同一の形状及び大きさに製作することが好ましく、このような一対の下部側面パネル１１０はそれぞれ、下部ケース１００の前面と背面を構成する。
【００２６】
連結台１３０は「Ｕ」字状のパネル部材として、一対の下部側面パネル１１０を相互連結して下部ケース１００の両側面と下部面を構成する。
【００２７】
具体的には、連結台１３０における下部側面パネル１１０との結合面である連結台１３０の左右側面にはそれぞれ、複数の結合孔１３５が形成されており、下部側面パネル１１０の連結台１３０との結合部位である下部側面パネル１１０の内部面の縁部には、結合孔１３５に挿入固定されている複数の結合突起１１５が形成されている。
【００２８】
即ち、製造業者は連結台１３０の両側にそれぞれ形成されている結合孔１３５に下部側面パネル１１０に備えられている結合突起１１５を挟み込む方式で両側面パネルを結合することで、下部ケース１００を組み立てる。
【００２９】
一方、電子機器１０の本体部１１が下部ケース１００に結合された状態で下部ケース１００から容易には離脱することを防止するために、下部側面パネル１１０の上部には係止部１１３が形成されることが好ましい。
【００３０】
図５は図４におけるＡ領域の拡大図である。図５に示すように、下部側面パネル１１０の上部には、下部ケース１００の内側方向に突設された係止部１１３が形成されている。
【００３１】
その結果、下部ケース１００の内部に電子機器１０の本体部１１が挿入された状態で、本体部１１の上部角が係止部１１３の下に位置することによって、本体部１１が下部ケース１００から離脱することを防止することができる。
【００３２】
一方、図２に示すような電子機器１０の本体部１１が下部ケース１００内に挿入される過程で、下部ケース１００の上部に形成された係止部１１３により本体部１１の挿入が妨げられることを防止するために、係止部１１３における本体部１１の上部角に接する面である係止部１１３の下部面は本体部１１の上部面と同一の水平面に形成し、係止部１１３の上部面は下部ケース１００の内側方向への下方傾斜面に形成することが好ましい。
【００３３】
なお、電子機器１０の本体部１１が下部ケース１００に挿入される過程で、下部ケース１００の上部に形成された係止部１１３により本体部１１の挿入が妨げられることを最小化するために、本体部１１の下部角はラウンド処理することが好ましい。
【００３４】
一方、ユーザが係止部１１３により電子機器１０の本体部１１を下部ケース１００から分離することが難しい場合には、ユーザーは、図４に示すように下部側面パネル１１０を連結台１３０から分離することによって、電子機器１０を下部ケース１００から容易に分離することができる。
【００３５】
前述のように、本発明では下部側面パネル１１０に備えられた係止部１１３を通じて本体部１１が下部ケース１００の内部に堅固に設置できるようにすると共に、下部ケース１００を一体型に製作せず、図４のように取り外し自在に製作する。従って、電子機器１０の洗浄のためにユーザーが電子機器１０を下部ケース１００から分離する場合に、係止部１１３にもかかわらず、容易に分離することができる。
【００３６】
図６は図３に示した上部ケース２００の分解斜視図である。図６を参照すると、本発明の一実施形態に係る電子機器保護用ケース構造体を構成する上部ケース２００は、対向して結合設置される一対の上部側面パネル２１０、及び一対の上部側面パネル２１０との間で一対の上部側面パネル２１０を相互結合させる結合台２３０を含む。
【００３７】
一対の上部側面パネル２１０は、同一の形状及びサイズを有するように製作することが好ましく、このような一対の上部側面パネル２１０はそれぞれ、上部ケース２００の前面と背面を構成する。
【００３８】
結合対２３０は「Ｌ」字状に曲げられたパネル部材として、一対の上部側面パネル２１０を相互連結する。その結果、結合台２３０は上部ケース２００の一側面と上部面を構成する。
【００３９】
具体的には、結合対２３０における上部側面パネル２１０との結合面である結合対２３０の左右側面にはそれぞれ、複数の結合孔２３５が形成されており、上部側面パネル２１０における結合台２３０との結合部位である上部側面パネル２１０の内側面の縁部には、結合孔２３５に挿入固定される複数の結合突起２１５が形成されている。
【００４０】
即ち、製造業者は結合台２３０の両側面にそれぞれ形成されている結合孔２３５に上部側面パネル２１０に備えられている結合突起２１５を挟み込む方式で両側面パネルを結合することで、上部ケース２００を組み立てる。
【００４１】
一方、電子機器１０のカバー部１２が上部ケース２００に結合された状態で上部ケース２００から容易には離脱することを防止するために、上部側面パネル２１０の下部には係止部２１３が形成されることが好ましい。
【００４２】
図７は図６におけるＢ領域の拡大図である。図７に示すように、上部側面パネル２１０の下端には、上部ケース２００の内側方向に突設された係止部２１３が形成されており、上部ケース２００の内部に電子機器１０のカバー部１２が挿入された状態で、カバー部１２の下部角が係止部２１３の上に位置することによって、カバー部１２が上部ケース２００から離脱することを防止することができる。
【００４３】
なお、カバー部１２の下部角が係止部２１３の上に位置することによって、ユーザーがカバー部１２を開放するために上部ケース２００を把持した状態で、上方に持ち上げる場合に、上部ケース２００の係止部２１３にカバー部１２の下部角が係止された状態で持ち上げることによって、カバー部１２の開放動作が安定的に行われるようになる。
【００４４】
一方、図３に示すように、電子機器１０のカバー部１２が上部ケース２００に挿入される過程で、上部ケース２００の下端に形成された係止部２１３によりカバー部１２の挿入が妨げられることを防止するために、係止部２１３におけるカバー部１２の下部角に接する面である係止部２１３の上部面はカバー部１２の下部面と同一の水平面に形成し、係止部２１３の下部面は上部ケース２００の内側方向への上方傾斜面に形成することが好ましい。
【００４５】
なお、電子機器１０のカバー部１２が上部ケース２００に挿入される過程で、上部ケース２００の下端に形成された係止部２１３によりカバー部１２の挿入が妨げられることを最小化するために、カバー部１２の上部角はラウンド処理することが好ましい。
【００４６】
一方、ユーザが係止部２１３により電子機器１０のカバー部１２を上部ケース２００から分離することが難しい場合には、図６に示すように、上部側面パネル２１０を結合台２３０から分離することによって、電子機器１０を上部ケース２００から容易に分離することができる。
【００４７】
前述のように、本発明では上部側面パネル２１０に備えられた係止部２１３を通じてカバー部１２が上部ケース２００の内部に堅固に設置できるようにすると共に、上部ケース２００を一体型に製作せず、図６に示すように取り外し自在に製作する。従って、電子機器１０の洗浄のために、ユーザーが電子機器１０を上部ケース２００から分離する場合に、係止部２１３にもかかわらず容易に分離することができる。
【００４８】
なお、下部ケース１００に電子機器１０の本体部１１が挿入された状態で、下部ケース１００の上部面と本体部１１の上部面が同一の高さに位置していなくて本体部１１の上部面より低い高さに位置すると、本体部１１の上部面に異物が容易に形成される恐れがある。そのため、本発明を実施するに当たっては、下部ケース１００に電子機器１０の本体部１１が挿入された状態で、下部ケース１００の上部面と本体部１１の上部面を同一の高さに位置させることが好ましい。
【００４９】
一方、前述のように、下部ケース１００の上部面と本体部１１の上部面が同一の高さに位置した状態で係止部１１３が本体部１１の離脱を防止する機能を行うためには、係止部１１３における本体部１１の上部角に接する面である係止部１１３の下部面は下部側面パネル１１０の上面から下部ケース１００の内側方向に水平に延設されることが好ましい。
【００５０】
また、このような場合に係止部１１３の剛性を確保するためには、係止部１１３は所定の幅（例えば、５〜７ｍｍ）を有し、下部側面パネル１１０の上面から所定の高さ（例えば、１〜２ｍｍ）程度突設されることが好ましい。
【００５１】
一方、ユーザが電子機器１０のカバー部１２を閉じる場合に、下部ケース１００と上部ケース２００が結合することによって、下部側面パネル１１０の上面と上部側面パネル２１０の下面が相互結合する。従って、前述したように、係止部１１３が下部側面パネル１１０の上面から突設された場合には、図６に示すように、上部側面パネル２１０の下面に下部側面パネル１１０の係止部１１３が収容される溝である収容溝２１７が形成される。それによって、上部ケース２００と下部ケース１００の結合面に隙間が発生しないようにすることが好ましい。
【００５２】
また、上部ケース２００に電子機器１０のカバー部１２が挿入された状態で、上部ケース２００の下部面とカバー部１２の下部面が同一の高さに位置していなくてカバー部１２の下部面がより高い高さに位置すると、カバー部１２の下部面に異物が容易に形成される恐れがある。そのため、本発明を実施するに当たっては、上部ケース２００に電子機器１０のカバー部１２が挿入された状態で、上部ケース２００の下部面とカバー部１２の下部面を同一の高さに位置させることが好ましい。
【００５３】
一方、前述のように、上部ケース２００の下部面とカバー部１２の下部面が同一の高さに位置した状態で、係止部２１３がカバー部１２の離脱を防止する機能を行うためには、係止部２１３におけるカバー部１２の下部角に接する面である係止部２１３の上部面は上部側面パネル２１０下面から上部ケース２００の内側方向に水平に延設されることが好ましい。
【００５４】
また、このような場合に係止部２１３の剛性を確保するためには、係止部２１３は所定の幅（例えば、５〜７ｍｍ）を有し、上部側面パネル２１０の下面から所定の高さ（例えば、１〜２ｍｍ）程度突設されることが好ましい。
【００５５】
一方、ユーザが電子機器１０のカバー部１２を閉じる場合に下部ケース１００と上部ケース２００が結合することによって、下部側面パネル１１０の上面と上部側面パネル２１０の下面が結合する。従って、前述したように、係止部２１３が上部側面パネル２１０の下面から突設された場合には、図４に示すように、下部側面パネル１１０の上面に上部側面パネル２１０の係止部２１３が収容される溝である収容溝１１７が形成される。それによって、上部ケース２００と下部ケース１００の結合面に隙間が発生しないようにすることが好ましい。
【００５６】
本出願において使用した用語は単に特定の実施形態を説明するために使われたもので、本発明を限定しようとする意図ではない。単数の表現は文脈上明白に異なるように意味しない限り、複数の表現を含む。本出願において、「含む」又は「有する」等の用語は明細書上に記載した特徴、数字、段階、動作、構成要素、部分品又は、それらを組み合わせたものが存在することを指定しようとするものであって、一つ又は、それ以上の他の特徴や数字、段階、動作、構成要素、部品又は、それらを組み合わせたものなどの存在又は、付加の可能性を予め排除しないことと理解すべきであろう。
【００５７】
以上では、本発明の好ましい実施形態及び応用例について図示して説明したが、本発明は前述した特定の実施形態及び応用例に限定されるものではなく、特許請求の範囲で請求する本発明の要旨を外れることなしに、当該発明が属する技術分野における通常の知識を有する者によって多様な変形実施が可能であるということは言うまでもなく、そのような変形実施は、本発明の技術的思想や展望から個別的に理解されることがあってはならない。
【産業上の利用可能性】
【００５８】
以上のように、本発明によれば、使用過程で物理的形態が変化する電子機器のための保護用ケースが提供される。なお、使用過程で物理的形態の変化を受ける電子機器がその使用過程で容易には離脱されず、堅固に収納及び保管できるようにする電子機器保護用ケースが提供される。
【符号の説明】
【００５９】
１０  電子機器
１１  本体部
１２  カバー部
１００  下部ケース
１１０  下部側面パネル
１１３、２１３  係止部
１１５、２１５  結合突起
１１７、２１７  収容溝
１３０、  連結台
１３５、  ２３５  結合孔
２００  上部ケース
２１０  上部側面パネル
２３０  結合対
【図１】
2019134146.tif 000003
【図２】
2019134146.tif 000004
【図３】
2019134146.tif 000005
【図４】
2019134146.tif 000006
【図５】
2019134146.tif 000007
【図６】
2019134146.tif 000008
【図７】
2019134146.tif 000009